(57)【特許請求の範囲】
【請求項１】
アクティブデバイスの出力線路により励振される励振用アンテナ素子を配列した複数の金属板と放射用アンテナ素子を配列した複数の金属板とを具え、アンテナ収納時には、前記両金属板をそれぞれ折り畳んで所定の位置に収納し、使用に際しては、前記折り畳んだ両金属板をそれぞれ平面状に展開するとともに、それら平面状に展開した両金属板を、前記励振用アンテナ素子を配列した複数の金属板が前記放射用アンテナ素子を配列した複数の金属板の下側となるようにそれぞれ配置することにより、前記励振用アンテナ素子から電磁結合によって前記放射用アンテナ素子に給電するように構成したことを特徴とする展開型アクティブフェーズドアレーアンテナ。
【請求項２】
請求項１記載の展開型アクティブフェーズドアレーアンテナにおいて、前記励振用アンテナ素子を配列した複数の金属板と放射用アンテナ素子を配列した複数の金属板とをともに短冊形状に形成したことを特徴とする展開型アクティブフェーズドアレーアンテナ。
【請求項３】
請求項２記載の展開型アクティブフェーズドアレーアンテナにおいて、前記励振用アンテナ素子を配列した複数の金属板と放射用アンテナ素子を配列した複数の金属板とをそれぞれ平面状に展開したとき、それぞれの金属板の短冊形状の長手方向が互いに直交するように配置されていることを特徴とする展開型アクティブフェーズドアレーアンテナ。
【請求項４】
請求項１記載の展開型アクティブフェーズドアレーアンテナにおいて、前記放射用アンテナ素子を配列した複数の金属板は、放射用アンテナ素子が直線状に配列された複数の金属板であることを特徴とする展開型アクティブフェーズドアレーアンテナ。
【請求項５】
励振用アクティブデバイスを配置した金属板と放射用アンテナ素子を配列した複数の金属板とを具え、アンテナ収納時には、前記両金属板を折り畳みまたは重ねて所定の位置に収納し、使用に際しては、前記折り畳んだ両金属板を平面状に展開するとともに、平面状に展開した励振用アクティブデバイスを配置した金属板と平面状に展開した放射用アンテナ素子を配列した最初の金属板との間、および平面状に展開した放射用アンテナ素子を配列した順次の金属板相互の間を接続する給電線路を形成し、該形成した給電線路と前記平面状に展開した放射用アンテナ素子を配列した複数の金属板とのそれぞれの接続点において電磁的に結合させることにより、前記励振用アクティブデバイスを配置した金属板から前記放射用アンテナ素子を配列した複数の金属板に給電するように構成したことを特徴とする展開型アクティブフェーズドアレーアンテナ。
【請求項６】
請求項５記載の展開型アクティブフェーズドアレーアンテナにおいて、前記励振用アクティブデバイスを配置した金属板と放射用アンテナ素子を配列した複数の金属板とをともに短冊形状に形成したことを特徴とする展開型アクティブフェーズドアレーアンテナ。
【請求項７】
請求項５記載の展開型アクティブフェーズドアレーアンテナにおいて、前記放射用アンテナ素子を配列した複数の金属板は、放射用アンテナ素子が直線状に配列された複数の金属板であることを特徴とする展開型アクティブフェーズドアレーアンテナ。
【請求項８】
請求項５乃至７のいずれか１項記載の展開型アクティブフェーズドアレーアンテナにおいて、前記給電線路は、前記折り畳んだ両金属板を平面状に展開するための伸縮ポールを兼用していることを特徴とする展開型アクティブフェーズドアレーアンテナ。
【請求項９】
請求項１乃至８のいずれか１項記載の展開型アクティブフェーズドアレーアンテナを具えてなることを特徴とする送信装置。
【請求項１０】
請求項１乃至８のいずれか１項記載の展開型アクティブフェーズドアレーアンテナを具えてなることを特徴とする受信装置。
【発明の詳細な説明】
【０００１】
【発明の属する技術分野】
本発明は、展開型アクティブフェーズドアレーアンテナに係り、特に、電子追尾機能を有する移動体に対して番組素材を送受信する素材伝送装置や衛星搭載用の送受信アンテナ等に使用して、携帯性、可搬性および収納性を向上させ得る展開型アクティブフェーズドアレーアンテナに関する。
また、本発明は、本発明展開型アクティブフェーズドアレーアンテナを具えてなる送信装置および受信装置に関する。
【０００２】
【従来の技術】
図３（ａ），（ｂ），（ｃ）は、この種類のアンテナの第１の従来例を示している。
この第１の従来例は、特開平７−２２３５９７号「二次元展開構造物」の公開特許公報に記載されているフェーズドアレーアンテナであり、フェーズドアレーアンテナを構成する複数個のアンテナパネル１０１ａ，１０１ｂ，・・・，１０１ｉがヒンジ１０３ａ，１０３ｂ，・・・，１０３ｈによって結合され、各アンテナパネル１０１ａ，１０１ｂ，・・・，１０１ｉをヒンジ１０３ａ，１０３ｂ，・・・，１０３ｈの回転により二次元に展開したり、折り畳んだりすることができるようになっている。
【０００３】
また、このフェーズドアレーアンテナは、さらに、複数個のアンテナパネル１０１ａ，１０１ｂ，・・・，１０１ｉを折り畳んだ状態で収納する収納ボックス１０２を有し、アンテナパネルを折り畳んで、空きスペース無く高密度に小型化して収納することや安定した状態で携帯、運搬を行うことができる。
【０００４】
次に、第２の従来例として、特開平６−９０１１４号「衛星搭載用アレーアンテナ」の公開特許公報に記載のアレーアンテナについて説明する。
この第２の従来例は、フェーズドアレーアンテナを構成する複数個の移相器付アンテナパネルを伸縮ポールにより展開するものである。
図４（ａ），（ｂ）は、第２の従来例において、アンテナパネルの展開前、および展開後の態様をそれぞれ示している。
図４（ａ），（ｂ）を参照するに、展開するアンテナパネル１０４のひとつの端部を人工衛星本体１０５に固定し、この固定した端部と対角をなす端部と人工衛星本体１０５とを伸縮ポール１０６で結合し、例えば、三浦折などの折り畳み方法により折り畳まれたアンテナパネル１０４を伸縮ポール１０６の伸展により展開することで、このアレーアンテナはその展開機構を単純化している。
【０００５】
同じく第２の従来例における、アンテナパネル展開後のアレーアンテナへの給電の態様を図５に、また、個々のアンテナパネルの表面、裏面を図６（ａ），（ｂ）にそれぞれ示している。
図６（ａ），（ｂ）を参照するに、人工衛星本体１０５内の送信機から供給された高周波信号は、接続ケーブル１０７内の高周波信号給電ケーブル１０８を通って移相器１０９に給電される。給電された高周波信号は、移相器１０９において、所要の放射ビームを形成するように位相量が与えられる。なお、図６（ａ）のアンテナパネル表面に符号１１０で示す丸印はアンテナ素子である。
【０００６】
このように構成したことにより、各アンテナパネル１０４を結合する結合部が弱く、アレーアンテナが平面状に保たれない場合でも、移相器１０９で高周波信号の位相を補正することにより所期の放射ビームを維持することができる。また、電力増幅器あるいは低雑音増幅器を移相器１０９以降に接続してアクティブアンテナとすることで、給電回路や高周波信号給電ケーブルによる損失の増大を防ぐことができる。
【０００７】
【発明が解決しようとする課題】
上述した第１の従来例（図３参照）においては、フェーズドアレーアンテナを構成する複数個のアンテナパネルをヒンジによって結合し、各アンテナパネルをヒンジの回転により二次元に展開したり、折り畳んだりしているが、アンテナが大型化されると、アレーアンテナを平面状に保つことが難しく、精度良く所要のビームを形成することができなくなる恐れがあるほか、展開に必要なヒンジの数が増えて機構が複雑になり、展開形状の剛性・精度の低下や展開動作の信頼性の低下を生じるおそれがあった。
【０００８】
また、第２の従来例（図４乃至図６参照）においては、伸縮ポールの伸展によりアンテナパネルの展開を行うことで、第１の従来例に比して展開機構が単純化される。また、各アンテナパネルを結合する結合部が弱く、アレーアンテナが平面状に保たれない場合でも、移相器でＲＦ信号の位相を補正することができるので所期の放射ビームを維持することができる。しかし、第１の従来例の場合と同様、アンテナが大型化されると、展開機構に必要な結合部や展開用の伸縮ポールの構造が複雑になる。
【０００９】
また、第２の従来例においては、送信機から各アンテナパネルに給電するためのケーブルの設置など、展開に際してアレーアンテナの構造が複雑になるとともに、アレーアンテナの裏面に構成されるアクティブ回路を含む給電回路が複雑になり、そのため、展開型アレーアンテナとしての特性や精度が低下するおそれがある。
【００１０】
本発明の目的は、上述した各種問題を排除し、かつ、大型のフェーズドアレーアンテナの可搬性、携帯性、収納性を向上させるとともに、展開機構を簡単化し、アンテナの構造自体も単純化し、しかも、アレーアンテナが大型化されても高精度にビームを形成することのできる展開型アクティブフェーズドアレーアンテナを提供することにある。
【００１１】
【課題を解決するための手段】
上記目的を達成するために、本発明展開型アクティブフェーズドアレーアンテナは、アクティブデバイスの出力線路により励振される励振用アンテナ素子を配列した複数の金属板と放射用アンテナ素子を配列した複数の金属板とを具え、アンテナ収納時には、前記両金属板をそれぞれ折り畳んで所定の位置に収納し、使用に際しては、前記折り畳んだ両金属板をそれぞれ平面状に展開するとともに、それら平面状に展開した両金属板を、前記励振用アンテナ素子を配列した複数の金属板が前記放射用アンテナ素子を配列した複数の金属板の下側となるようにそれぞれ配置することにより、前記励振用アンテナ素子から電磁結合によって前記放射用アンテナ素子に給電するように構成したことを特徴とするものである。
【００１２】
また、本発明展開型アクティブフェーズドアレーアンテナは、前記励振用アンテナ素子を配列した複数の金属板と放射用アンテナ素子を配列した複数の金属板とをともに短冊形状に形成したことを特徴とするものである。
【００１３】
また、本発明展開型アクティブフェーズドアレーアンテナは、前記励振用アンテナ素子を配列した複数の金属板と放射用アンテナ素子を配列した複数の金属板とをそれぞれ平面状に展開したとき、それぞれの金属板の短冊形状の長手方向が互いに直交するように配置されていることを特徴とするものである。
【００１４】
また、本発明展開型アクティブフェーズドアレーアンテナは、前記放射用アンテナ素子を配列した複数の金属板が、放射用アンテナ素子が直線状に配列された複数の金属板であることを特徴とするものである。
【００１５】
また、本発明展開型アクティブフェーズドアレーアンテナは、励振用アクティブデバイスを配置した金属板と放射用アンテナ素子を配列した複数の金属板とを具え、アンテナ収納時には、前記両金属板を折り畳みまたは重ねて所定の位置に収納し、使用に際しては、前記折り畳んだ両金属板を平面状に展開するとともに、平面状に展開した励振用アクティブデバイスを配置した金属板と平面状に展開した放射用アンテナ素子を配列した最初の金属板との間、および平面状に展開した放射用アンテナ素子を配列した順次の金属板相互の間を接続する給電線路を形成し、該形成した給電線路と前記平面状に展開した放射用アンテナ素子を配列した複数の金属板とのそれぞれの接続点において電磁的に結合させることにより、前記励振用アクティブデバイスを配置した金属板から前記放射用アンテナ素子を配列した複数の金属板に給電するように構成したことを特徴とするものである。
【００１６】
また、本発明展開型アクティブフェーズドアレーアンテナは、前記励振用アクティブデバイスを配置した金属板と放射用アンテナ素子を配列した複数の金属板とをともに短冊形状に形成したことを特徴とするものである。
【００１７】
また、本発明展開型アクティブフェーズドアレーアンテナは、前記放射用アンテナ素子を配列した複数の金属板が、放射用アンテナ素子が直線状に配列された複数の金属板であることを特徴とするものである。
【００１８】
また、本発明展開型アクティブフェーズドアレーアンテナは、前記給電線路が、前記折り畳んだ両金属板を平面状に展開するための伸縮ポールを兼用していることを特徴とするものである。
【００１９】
また、本発明送信装置は、本発明展開型アクティブフェーズドアレーアンテナを具えてなることを特徴とするものである。
【００２０】
また、本発明受信装置は、本発明展開型アクティブフェーズドアレーアンテナを具えてなることを特徴とするものである。
【００２１】
【発明の実施の形態】
以下に添付図面を参照し、発明の実施の形態に基づいて本発明を詳細に説明する。
図１は、本発明展開型アクティブフェーズドアレーアンテナの第１の実施形態を示している。なお、図１中、普通の矢印は収納されているアンテナパネルが展開されるまでを示し、二重線矢印は部分拡大図あるいは組み立て図を示している。
図１において、１は放射用スロット、２は放射用スロットアレー板、３は放射用スロット金属板、４は励振用スロット、５は励振用スロット板、６は入力用ストリップ導体、７は電力増幅素子、８は出力用ストリップ導体、９は溝付きの金属ベース、１０は励振用スロット金属板、１１は入力用トリプレート線路、１２は出力用トリプレート、１３は伸展用ポール、および１４は回転機構である。
【００２２】
動作について説明する。
図１の右下、断面図に示すように、まず、放射用スロット金属板３は、放射用スロットアレー板２に線状に配列され電磁波を空間に放射するための放射用スロット１が形成され、その放射用スロット１の４個にアクティブデバイス（本実施形態では、電力増幅素子７）の出力線路により励振される励振用スロット４の１個を結合させている。
【００２３】
なお、本実施形態（第１の実施形態）おいては、放射用スロット金属板３、励振用スロット金属板１０はともに短冊形状に作られている。また、アンテナ展開時に、それら短冊形状の両金属板３，１０の長手方向が互いに直交するように配置することで、二次元方向の強度が増し、展開されたアンテナパネルがほぼ完全な平面状を保つようにすることができる
【００２４】
そして、放射用スロット金属板３の下側には、表面に励振用スロット４が形成されている励振用スロット板５と、入力高周波信号を供給するための入力用ストリップ導体６と、入力高周波信号を増幅するための電力増幅素子７と、電力増幅素子７の出力線路および励振用スロット４に給電するための出力用ストリップ導体８と、これら入力用ストリップ導体６、電力増幅素子７、および出力用ストリップ導体８を配置するための溝付きの金属ベース９とからなる励振用スロット金属板１０が配置されている。
【００２５】
また、ここでは、入力用ストリップ導体６と溝付きの金属ベース９と励振用スロット板５とから入力用トリプレート線路１１が、また、出力用ストリップ導体８と溝付きの金属ベース９と励振用スロット板５とから出力用トリプレート線路１２がそれぞれ構成され、そして、入力用トリプレート線路１１と出力用トリプレート線路１２と電力増幅素子７と溝付きの金属ベース９と励振用スロット４が形成されている励振用スロット板５とから励振用の１素子アクティブスロットアンテナが構成されている。この構成については、本願人が特願２０００−１３７９９３号「アクティブアンテナ」としてすでに出願している。
【００２６】
この出願（特願２０００−１３７９９３号）は、平面金属板の溝の中に増幅回路を実装したベース板の両側の一方の側にスロット付きの金属板を、もう一方の側に給電線基板を取り付け、両者を電磁的に結合することによって構成したことを要旨としている。
【００２７】
高周波信号の流れについて説明する。
まず、励振用入力端子Ｔｌ（図１の右下、断面図参照）から入力された高周波信号は、入力用トリプレート線路１１を伝送して電力増幅素子７に入力される。電力増幅素子７から出力された高周波信号は出力用トリプレート線路１２を伝送して励振用スロット板５上に形成された励振用スロット４に電磁結合する。結合した高周波信号は励振用スロット４から放射し、放射用スロットアレー板２に線状に配列された放射用スロット１に電磁結合して空間的に分配され、各放射用スロット１から空間に放射される。この構造については、本願人が特願２００１−６４７６号「フェーズドアレーアンテナ及びこれを用いた送・受信装置」としてすでに出願している。
【００２８】
この出願（特願２００１−６４７６号）は、最上層の金属板に、ｎ個（ｎはｎ≧２なる任意の自然数）のスロットアンテナ素子を等間隔で、かつ偏波方向が一致するように１方向に配列し、その下層側に、上層側よりも１つ少ない素子数（ｉ段目の素子数：ｎ−ｉ＋１）のスロットアンテナ素子が上層側と同様に形成された金属板をｍ段（ｍはｍ≧２なる任意の自然数）まで積層して多層構造とし、下層側のスロットアンテナ素子がその放射した電磁波が空間的に分配あるいは合成されて、適当な結合度で上層側のスロットアンテナ素子に電磁結合するように配置されることを要旨としている。
【００２９】
アンテナの展開について説明する。
本実施形態（第１の実施形態）では、放射用スロット金属板３および励振用スロット金属板１０を展開させるための伸展用ポール１３と、伸展後にそれらを回転させるための回転機構１４とが各スロット金属板３，１０の側面にそれぞれ取り付けられている。
【００３０】
アンテナ収納時（アンテナが収納されている状態）からアンテナ展開までを、順を追って説明する。
図１を参照するに、収納時には、（ａ）に示すように、各放射用スロット金属板３と各励振用スロット金属板１０とが重なって収納されている。展開が始まると、（ｂ）に示すように、これら重なっていたものが放射用スロット金属板３と励振用スロット金属板１０とに分けられる。そして、各放射用スロット金属板３は、それぞれ伸展用ポール１３により伸展され（（ｃ）参照）、さらに、回転械構１４により回転させられ（（ｄ）参照）、最終的に平面状に展開される（（ｅ）参照）。
【００３１】
同様に、各励振用スロット金属板１０も伸展され、回転させられて、最終的に平面状に展開される（（ｆ）参照）。このようにして各スロット金属板３および１０が平面状に展開された後、励振用スロット金属板１０が下側となるように放射用スロット金属板３をその上に重ねて配置することで、展開動作を終了する（（ｇ）参照）。
【００３２】
以上説明した本発明アンテナの第１の実施形態においては、励振用スロット４の１素子を、それより上側に配置した放射用スロット１の複数素子に結合させる構成としたが、これに代えて、励振用スロット金属板１０の溝の中に配置した電力増幅素子７の前段にＭＭＩＣ (Monolithic Microwave Integlated Circuits）などで構成された中間周波数（ＩＦ）回路などを配置することで、アンテナ含めた送信装置を一層小型化・薄型化することができる。以下に、この実施形態を本発明アンテナの第２の実施形態として説明する。
【００３３】
図２は、本発明展開型アクティブフェーズドアレーアンテナの第２の実施形態を示している。図２においても、普通の矢印は収納されているアンテナパネルが展開されるまでを示し、二重線矢印は部分拡大図あるいは組み立て図を示している。
図２において、１５は放射用スロット、１６は放射用スロットアレー板、１７は放射用スロット金属板、１８は入力用ストリップ導体、１９は電力増幅素子、２０は出力用ストリップ導体、２１は溝付きの金属ベース、２２は給電線路・伸展用ポール、２３は回転機構、２４は励振用増幅回路板、２５は金属板、２６は入力用トリプレート線路、および２７は出力用トリプレート線路である。
【００３４】
動作について説明する。
図２に示すように、この第２の実施形態による本発明アンテナは、線状に配列され、電磁波を空間に放射するための放射用スロット１５を形成している放射用スロットアレー板１６からなる放射用スロット金属板１７と、図２の左下の図に示されるように、入力高周波信号を供給するための入力用ストリップ導体１８と入力高周波信号を増幅するための電力増幅素子１９と電力増幅素子１９の出力線路用の出力用ストリップ導体２０とこれら入力用ストリップ導体１８、電力増幅素子１９、および出力用ストリップ導体２０を配置するための溝付きの金属ベース２１と各放射用スロット金属板１７への給電線路および伸展用ポールを兼ねる給電線路・伸展用ポール２２と展開時に各放射用スロット金属板１７を回転させるための回転機構２３とからなる励振用増幅回路板２４とで構成されている。
【００３５】
なお、本実施形態（第２の実施形態）においても、放射用スロット金属板１７と励振用増幅回路板２４はともに短冊形状に作られている。
【００３６】
また、本実施形態（第２の実施形態）の場合、入力用ストリップ導体１８と溝付きの金属ベース２１と金属板２５とから入力用トリプレート線路２６が、また、出力用ストリップ導体２０と溝付きの金属ベース２１と金属板２５とから出力用トリプレート線路２７がそれぞれ構成されている。
【００３７】
高周波信号の流れについて説明する。
まず、励振用入力端子Ｔｌ（図２の左下の図参照）から入力された高周波信号は入力用トリプレート線路２６を伝送して電力増幅素子１９に入力される。電力増幅素子１９から出力された高周波信号は出力用トリプレート線路２７を伝送して給電線路・伸展用ポール２２へ入力される。
【００３８】
給電線路・伸展用ポール２２を介して、高周波信号は各放射用スロット金属板１７に分配され、放射用スロットアレー板１６上に形成されタ放射用スロット１５に電磁結合する。結合した高周波信号は放射用スロット１５から空間に放射される。この構造についても、上述の特願２００１−６４７６号「フェーズドアレーアンテナ及びこれを用いた送・受信装置」の技術内容に含まれている。
なお、給電線路・伸展用ポール２２は導波管等で構成することができ、各放射用スロット金属板１７との接続点に結合用の穴を開けて電磁的に結合させるものとする。
【００３９】
本実施形態（第２の実施形態）において、アンテナ収納時（アンテナが収納されている状態）からアンテナ展開までを、順を追って説明する
図２を参照するに、収納時には、（ａ）に示すように、放射用スロット金属板１７と励振用増幅回路板２４とはそのまま重なって収納されている。そして、展開時に、各放射用スロット金属板１７とその末端に配置される励振用増幅回路板２４は伸展用ポール２２によって伸展され（（ｂ）参照）、次いで回転機構２３によって回転させられ（（ｃ）参照）、最終的に放射用スロット金属板１７は平面状に展開させられる（（ｄ）参照）。
【００４０】
以上説明した本発明展開型アクティブフェーズドアレーアンテナの第１および第２の実施形態においては、放射用スロット金属板３、励振用スロット金属板１０（第１の実施形態の場合）や放射用スロット金属板１７、励振用増幅回路板２４（第２の実施形態の場合）の形状を短冊形にしたが、このようにすることにより、アンテナ設計時に、アンテナパネル全体を任意に分割して、収納時の形状および大きさを自由に設定することができるという利点がある。
【００４１】
最後に、本発明は、本発明展開型アクティブフェーズドアレーアンテナを具えてなる送信装置および受信装置を含むものである。
【００４２】
【発明の効果】
本発明によれば、以下の効果が得られる。
（１）アンテナパネルを短冊形に分割して構成することができるので、収納時に非常にコンパクトになるとともに、アンテナの形状および大きさを自由に設定でき、可搬性、携帯性、収納性が向上する。
（２）アクティブフェーズドアレーアンテナを単純な構成にすることができるので、低価格・高精度のアクティブフェーズドアレーアンテナを実現することができる。
（３）励振用スロット金属板をベースにして放射用スロット金属板を固定することにより、ほぼ完全な平面状を保つことができるので、高精度な放射ビームを形成することができる。
（４）給電回路とアンテナとが一体化し、電磁結合により放射用スロットヘ給電しているため、高い周波数においても効率よく高精度なアンテナ特性が得られることが期待される。
【図面の簡単な説明】
【図１】  本発明展開型アクティブフェーズドアレーアンテナの第１の実施形態を示している。
【図２】  本発明展開型アクティブフェーズドアレーアンテナの第２の実施形態を示している。
【図３】  特開平７−２２３５９７号「二次元展開構造物」の公開特許公報に記載の展開型フェーズドアレーアンテナを示している。
【図４】  特開平６−９０１１４号「衛星搭載用アレーアンテナ」の公開特許公報に記載のアレーアンテナのアンテナパネルの展開前、および展開後の態様をそれぞれ示している。
【図５】  同じく特開平６−９０１１４号「衛星搭載用アレーアンテナ」の公開特許公報に記載のアレーアンテナのアンテナパネル展開後のアレーアンテナへの給電の態様を示している。
【図６】  同じく特開平６−９０１１４号「衛星搭載用アレーアンテナ」の公開特許公報に記載のアレーアンテナの個々のアンテナパネルの表面、裏面をそれぞれ示している。
【符号の説明】
１  放射用スロット
２  放射用スロットアレー板
３  放射用スロット金属板
４  励振用スロット
５  励振用スロット板
６  入力用ストリップ導体
７  電力増幅素子
８  出力用ストリップ導体
９  溝付きの金属ベース
１０  励振用スロット金属板
１１  入力用トリプレート線路
１２  出力用トリプレート
１３  伸展用ポール
１４  回転機構
１５  放射用スロット
１６  放射用スロットアレー板
１７  放射用スロット金属板
１８  入力用ストリップ導体
１９  電力増幅素子
２０  出力用ストリップ導体
２１  溝付きの金属ベース
２２  給電線路・伸展用ポール
２３  回転機構
２４  励振用増幅回路板
２５  金属板
２６  入力用トリプレート線路
２７  出力用トリプレート線路
【図１】
0003971900.tif 000002
【図２】
0003971900.tif 000003
【図３】
0003971900.tif 000004
【図４】
0003971900.tif 000005
【図５】
0003971900.tif 000006
【図６】
0003971900.tif 000007